(57)【特許請求の範囲】
【請求項１】
やや奥行きの広い座板に背もたれが設けられた長椅子は、座板の木口と、背もたれ位置に手すりとなる横部材が設けられてあり、少なくとも台輪の部分には手すりとなる切り欠部とともに、座板下および妻側には通風に対して保温効果のある仕切り板が設けられてあることを特徴とする寝台を兼ねた長椅子。
【請求項２】
請求項１に記載された寝台を兼ねた長椅子とテーブルを組合せた電気こたつであって、
該テーブルは、
奥行きが狭く、天板の下方にはヒーターが設けられており、
前記寝台を兼ねた長椅子側にある脚部が、中心側に寄せられた位置にあり、
前記天板の下方の幕板には、手すりとなる切り欠き部が設けられており、
前記テーブルの上面は、掛布団で覆われている
ことを特徴とする寝台を兼ねた長椅子とテーブルからなる電気こたつ。
【発明の詳細な説明】
【技術分野】
【０００１】
本発明は、寝台を兼ねる長椅子とこれにテーブルからなる電気こたつに関する。
【背景技術】
【０００２】
特許文献１（特開２００１−２９９５０５号公報）では簡易掘りこたつと簡易ベッドとを形成する多機能椅子において長椅子の座板に周設して、上方に畳や座布団などにて構成して設けた座席の表面より突出することなく枠と下方に薄板や布などにて構成して設けた壁面とを備えたことを特徴とする多機能長椅子が記載されている。
また今までの非特許文献１のダイニングテーブルを兼ねた電気こたつのセットでは、背もたれが多少リクライニングできる椅子を使用し、こたつの掛布団を使用し体を覆っていた。さらにダイニングテーブルに出入りするときは、回転椅子仕様にはなっているものの椅子を前後に移動させることによって、テーブル内に足が入れられていた。なお、関連技術に下記の物件もある。
【特許文献１】特開２００１―２９９５０５号公報
【非特許文献１】公知  別紙パンフレット
【発明の開示】
【発明が解決しようとする課題】
【０００３】
以上に述べた特許文献１では高齢者にとっては長椅子には、掴まる手すりが設けられておらず、体の向きがかえずらかった。さらにテーブルの下に足を入れるためには、椅子の高さまで足を持ち上げなければならなかった。また公知されている（非特許文献１）ダイニングテーブルを兼ねた電気こたつのセットでは、椅子はリクライニングさせての姿勢の変換ができないばかりか、ダイニングテーブル下に足を入れるためには椅子の回転だけでなく、椅子についたキャスターによってテーブルから離れることで足を入れていた。そのため従来の長椅子とテーブルを組合せることでは坐位、臥位、立位の姿勢と、いろいろな姿勢をすることが困難であったので、本発明では上記の問題を長椅子とテーブルを組合せる事を目的とする。
【課題を解決するための手段】
【０００４】
本発明は上記課題を解決するためにその発明の１は、やや奥行きの広い座板に背もたれが設けられた長椅子は、座板の木口と、背もたれ位置に手すりとなる横部材が設けられてあり、少なくとも台輪の部分には手すりとなる切り欠部とともに、座板下および妻側には通風を保温効果のある仕切り板が設けられてあることを特徴とする寝台を兼ねた長椅子。
さらに発明の２上記は発明に組合されるテーブルは、やや奥行きが狭く、天板下にヒーターが設けられてあり、該テーブルは少なくとも長椅子側となる位置にある脚部がテーブルの中心側に寄せられた位置にあって、さらに天板下の幕板にも手すりとなる切り欠き部が形成されてあって、前期テーブルの上面には掛布団が覆われてあることを特徴とする寝台を兼ねる長椅子とテーブルからなる電気こたつ。
【発明の効果】
【０００５】
本発明は上記構成から成るので以下に示す効果が期待できる。
・  背もたれを備えた長椅子であり、坐位、臥位、立位と寝台を兼ねた椅子であって、いろいろな姿勢が本人の意思でできる。
・  長椅子と奥行きを狭くした長テーブルの場合、高齢者のより耳が良いほうに向い合って座ることができ、話し相手側にも負担がかからず、年代を問わず話しかけてもらえる。
３、坐位、臥位 姿勢において、テーブルから長椅子にかけられた掛布団は、傾斜した台輪面の手すりの隙間や長椅子の沓の厚さまでの全ての隙間風を防ぐ構造になっている。  
４、長椅子では、臥位姿勢の背中と左右の手すりが体の向きを変えられる３点支持になっており、坐位姿勢に変わってもテーブルにある手すりを使い３点支持が安心してできる。
５、長椅子の座板上で腰を支点に肩と足を座板上から浮かせ、手すり得もって体位変換をすることになるが、掛布団が掛かっていても、坐位から臥位姿勢になれる。
６、一般の長椅子より奥行きが広い長椅子と奥行きの狭いこたつテーブルに掛布団を使用し暖が取れるだけでなく、掛布団を外してもテーブルとして一年を通じてしようできる。  
７、図１２や図１６において、こたつテーブルの脚の位置を移動させて、足を長椅子の高さまで持ち上げずに出入りができ、脚下の滑り板でのテーブル移動でも同じ様にできる。
８、ベッドのように寝台機能をもつ長椅子に座り、奥行きの狭いテーブルで向い合って座ると耳が遠くても話す機会が増え、寝たきり生活が解消されるきっかけになる。
【発明を実施するための最良の形態】
【０００６】
以下、本発明の実施の形態を図面を参照して説明する。
先ず第一の発明は図１〜図５に示すように、寝台機能と寝返りの機能を持った長椅子1は、長さ１６０〜１９０ｃｍ、奥行きは６０〜７５cmで、床から座板1eまでの高さが３０〜４５ｃｍとし、座板１eには背もたれ１bが設けられている。座板１eの下側に設けられた台輪１jは、垂直でもよく、前側や妻側に傾斜してあってもよい。さらに台輪１jには手すり１a代わりとなる大きな開口部１ｉが設けられている。また背もたれ１bには、手すり部材１c、1ｄ、１ｍが設けられており妻板１lと仕切り板１ｆで長椅子１は形成されており、この長椅子１の下側にはヒータ9bが設けられている場合もある。長椅子１の安定のためには、沓１ｇやスポンジ状の隙間テープ１ｈが設けられていることもある。
次いで第二の発明について説明する。図６から図１０に示すように寝台機能と寝返り機能を持った長椅子１に組合されるテーブル２は、一般のこたつテーブルの天板5ａより奥行きの狭い天板5ｂの奥行きの大きさが４５〜６５ｃｍで、テーブルの下にはヒーター９aが設けられており、長椅子１側となる位置にある脚部２ｂが使用者の出入りで、足の邪魔にならないようにテーブル２の中心側にずれて設けており、さらに長椅子１側となるテーブル１の天板５ｂ下に設けられた幕板２ｅには手すり２ａとなる切り欠きした開口部が形成されてあって、またテーブル上面には掛布団４が掛けられ電気こたつが形成される。
【０００７】
図１は長椅子１の背もたれ１ｂと座板1e、左右座板側面の妻板１ｌ及び台輪１ｊと床の間には円筒形の滑り板の沓が４個以上あり、背もたれ1bに横部材となる手すり, 台輪面にには座板下の木口の手すり1a、座板下の保温効果のある仕切り板1fを供えている他、台輪には電車のソファー下の暖房器具のようなものがあってもよいとする斜視図である。
図２〜図５は仰向けの姿勢から長椅子１に座る姿勢になるまでの図で、図２は長椅子１の背もたれ１ｂ部の一番座板１eに近い手すり１ｄを右手で握り、左手は座板１ｅ木口の手すり１ａを握り右腰部を背もたれ１ｂ方向に移動させて体をくの字に曲げる。次に右腰を持ち上げながら右手は腰の回転により寝返りしながら右手も左手の座面木口手すり１ａ位置に持ち返られるように右手の手すり位置を中段手すり１ｃ又は上段笠木手すり１ｍに移動させている図。
図３は横向き姿勢になり易いように下半身の左足を右足の下に膝をまげて移動し、右足は回転がし易いように膝を少し曲ることで、下半身の回転に習うように上半身も左足を軸にし右足膝頭をゆっくり座板１ｅに付けるようにすることで、上半身も下半身と腰の回転に続いて、ひねり易く回転もしやすくなり、右手も左手同様に座板１ｅの木口手すり１ａに持ち替えられて横向きの姿勢となった図。
図４は右足の下に入っていた左足を、座板１ｅの前に足を床に下ろしても良いように突き出し、続いて左腕の肘を頭方向にずらす事によりで、下半身の右足も座板１ｅより前に、持ち出せ、左足と右足位置との足の重さにより、左腰を支点にして上半身の左肩を座板１ｅより浮かせやすくし、バランスをとりながら左肘を立てながら左足を床につけた図。
図５は右腕にさらに力をいれ,左肘を座板１ｅから離しながら左手を木口手すり１ａから左肩上方に移動させ、左肘を伸ばしながら掌と肩の力により体の上半身を垂直に起こしつつ右足も床につける。長椅子１に座る姿勢となろうとしている図。
第２の発明は図６の長椅子１とテーブル２を組合せることによって,背もたれ１bと座板1eの木口の手すり１aと、テーブルの幕板２ｅに形成された手すり２aの３種類の手すりを利用することで、テーブル２を覆う掛布団４の下からでも握れる幕板２ｅに設置された手すり２ａは、掛布団４が無くても使用できることになり体を起こし易く座る姿勢になりやすい。テーブルの奥行きは４５〜６５ｃｍで脚部はよりテーブルの中心側に寄せられた位置により足が脚２ｂに当たらない、またテーブル２の一端を押すことで、滑り板２ｃによって、さらに長椅子１とテーブル間を開き出入り口をより広くし利用しやす形とできる。
図７〜図1２では長椅子１とテーブル２を組合せて仰向き姿勢から長椅子１に座るまでの説明で、図１６のヒーター部９aと掛布団４、天板２ｂを除いて手足や体を示した平面図であり、テーブル２から長椅子１まで掛布団４が掛けられた状態でも同じように動作ができる図になっている。 
図７では図２の姿勢から図３の途中姿勢で、右手も左手同様に座板１ｅの木口手すり１ａに持ち替えて横向きの姿勢となるのではなく、右手はテーブルの幕板２ｅ手すり２ａを握り横向き姿勢になった図です。    
図８の右手は座板１ｅより高い位置にあり、テーブル幕板２ｅ手すり２ａを握っていて右腕、および右肩が上げ易いため上半身が回転しやすい、一方下半身は右足の下に入っていた左足を座板１ｅの前に足を床に下ろしてもよいように突き出しておき、左腰部を支点にして左手肘を頭方向にずらしながら同時に上半身の右肩を座板１ｅよりテーブル方向に回転するように移動し、さらには腰も同時に回転して左足を床につける。  
図９は左腰部と床に付いた左足を支点にして右手を幕板１ｅ手すり１ａに引き寄せ、左肘を立てられるように下半身では左足位置へ右足も添えるように移動させ、下半身の足の重さと上半身の肩から上の重さのバランスをとりながら左肘をさらに立て右足も床につけた図。
図１０は右手でテーブル２幕板２ｅ手すり２ａをつかんで体を起こし、その後に右手を幕板２ｅ手すり２ａから離して座板１ｅ木口手すり１ａに持ちかえて長椅子１に座った姿勢。
図１１はテーブル２に天板５ｂを載せ幕板２ｅについた棒状手すり２ｄと天板５ｂを使用し、上半身を起こしかけている平面図であり、ｎ‐n間の断面図は手すり部が幕板２ｅには、棒状手すりでも手首を返せるものであれば良いとされる図。
図１２は長椅子１側面に座った人８ｄは足と体の向きを90度回転させテーブル２の脚部２ｂが足を入れるスペース分だけ移動によりテーブル内に体と足を入れることができる様子。
長椅子１は肩幅以上に奥行きのあるため背もたれ１ｂを使用し座布団座りした人８ｃの姿勢では膝から座面木口までは余裕のある状態を示した図。
図１３は既製品のダイニング電気こたつセットを示し、椅子３の４脚は360度回転ができ、掛布団４の長手方向の中心と四隅には、スリット４aがもうけられているが椅子の座板下の仕切り板下と床との隙間１ｋや掛布団のスリット付部分４aであっても、妻板との隙間から隙間風が入ってしまう様子と奥行きのある既製品のテーブル天板５ａを示す図。
図１４は既製品のダイニング電気こたつセットのうち椅子3 の片側の２脚を並べて仰向けになって寝た場合、椅子の奥行きが狭く体全体を支えきれない様子と、掛布団４が短く体が覆いきれない。またテーブル天板５ａは奥行きがある。
図1５は図１４のテーブルの天板の奥行き縮めることで、長椅子１に仰向けに寝た人が、掛布団４が体を覆だけの余裕の長さになった様子を示しているのと、座っている人との距離が短くなり会話が聞きとりやすい様子と座卓形の電気こたつより高さが高いテーブルこたつの方が、天井照明が明るく新聞や雑誌などがより高齢者にとって読み易い様子。
図16ダイニングテーブルこたつのヒータ部９ａと掛布団４、天板５ｂを分けて示した図にテーブル２と長椅子と１に座る人８ａが幕板２ｅに付いた手すり２ａと座板１ｅ木口手すり１ａを利用している様子とテーブル２の脚２ｂが中心に寄っていて足をテーブル２の下から取り出しやすい様子を示した斜視図。
【実施例】
【０００８】
本発明の大きな目的は体の不自由な方や高齢者を対象とする寝台機能と寝返り機能、さらに坐位機能、立位機能とを自立支援で行うことができる自立支援家具である。
本発明に用いられる長椅子は市場一般で作られるものに比べ奥行きが６０〜７５ｃｍ（一般は４０〜４５ｃｍ）であり図１〜図１６に示すように体の不自由な方や高齢者は立っているだけでも不自由な方を見掛けることがある。これらの人が使える本発明の長椅子１に座る場合には、先ず背もたれ１ｂの笠木手すり１ｍの端1nに手を据え、体を背もたれ１ｂにもたれながら向きを変え、背もたれ１ｂの側縦框に添って座板１ｅに腰を降ろし図１２のように体８ｄと足を回してテーブル５ｂ内に足を入いれる。次いで両手を天板５ｂに添えながら少しずつ腰の位置を横にずらしながら長椅子１の中央付近に移動させる。また体の不自由な方や高齢者にとって、立っていることは体のバランスを保つ必要になり体力もまた必要なため、椅子に座ったほうが楽な姿勢である。さらに座布団に座るように両踵を尻横に開いた方法が床に広く座ることで体力を使わず楽に座れるとしている姿勢の人８ｃもいる。長椅子１中央で先ず台輪１ｊに設けられた木口手すり１ａに手を掛ながら体を横に倒す、この場合に台輪１ｊの木口手すり１ａや背もたれ１ｂに設けられた手すり１ｃ，１ｄ，１ｍを使いながら寝返りを行うことができる。従って坐位から立位にうつる場合は、動作を繰り返すことで実施できる。さらにこの長椅子１にテーブル２を組合せる場合には、背もたれ１ｂに設けられた手すり以外にテーブル２の幕板２ｅに設けられた開口部の手すり２ａを使い同一動作を行うことができる。ここで用いられるテーブル２の脚部２ｂは使用者の出入りする足の邪魔とならないようにテーブルの中心側にずれて設けられており、長椅子１に設けられる台輪１ｊは、垂直でもよく前側に傾斜してあってもよいためテーブル上面には掛布団が覆われている場合でも、覆われた掛布団の端部がまくれ上がって隙間風が入ることがなく、しっかりと防ぐことができる。ここで用いられるテーブル２には天板５ｂの裏側にはヒーター９ａが設けられるのでこのテーブル２の上に掛布団４を覆うことで、電気こたつが形成できるので、障害者や高齢者が家族団らん生活や家族のコミュニケーションが十分に図れる。またこれに用いられるテーブルは一般市販のテーブル５ａより奥行きが略３０％ほど狭く、例えば耳の遠い人でも聞き取り易く障害者や高齢者との会話がとり易い。
【産業上の利用可能性】
【０００９】
２０代の人でも万年床になると、きのこがはえると言われていますが、高齢者も風を引いたことをきっかけとして,布団からでない寝たきりの毎日が増え、下着の交換や清拭、入浴や室内の掃除、窓の開け閉めが減った結果、高齢者の部屋は死臭がこもり家族同居の家であっても、室内への人の出入りは極端に減ってしまい、介護福祉士による決められた介護メニューだけでは、やがて自宅介護でありながら施設介護と同様にすぐ認知症になってしまう。さらに利用者自身がベッドはいつでも立上がり易いと思い込んでいると、なおさらこの傾向になってしまう。そこでベッドの機能は残しながらも、椅子に座ったり、高齢者にとって長椅子の上であっても座布団に据わった形で、より重心の安定した姿勢にもなれる。また天井照明も椅子とテーブルを使用したときには、床より離れることでより天井照明が明るく新聞なども読み易くなり、障害者や高齢者の潜在能力を再び取り戻し、ベッドとは朝一別し一年中の使用ができ、ベッドから起きて、移ってもいいと思えるダイニングテーブルと椅子である。
【図面の簡単な説明】
【００１０】
【図１】請求項１の背もたれ付長椅子の斜視図である。
【図２】仰向け姿勢から回転を始めた平面図である。
【図３】横向き姿勢になるために手を持ち替えた平面図である。
【図４】左腰を始点に片足を下ろすためにバランスをとっている平面図である。
【図５】座る姿勢になるために手の位置を変えている平面図である。
【図６】請求項２の斜視図である。
【図７】図１６のヒーター部９aと掛布団４、天板5ｂを除いた平面図で図3のように右手も左手と同じように座面の木口手すり１aに乗せるのではなく右手はテーブルの幕板２eの手すり２aを握り、横向きの姿勢になった平面図である。
【図８】長椅子１より高い位置にあるテーブル２幕板２e手すり2ａを使用することで回転しやすく、体が起こし易い事により左足を床につけやすい様子の平面図である。
【図９】右手で幕板２ｅの手すり２ａを引き寄せながら左肘を立て、右足も床につけた図。
【図１０】上半身を起こし、両手長椅子１木口手すり１ａに置いた平面図である。
【図１１】テーブル２に天板５ｂを載せて、幕板2ｅに棒状手すり2ｄを使用しての起き上がる直前の平面図で断面図ｎ−ｎの棒状手すり２dを含んだ図である。
【図１２】テーブル２に天板５ｂを載せて、長椅子１側面から座った人８ｄは足と体の向きを90度回転させテーブル２内に体と足を入れる様子と背もたれ１ｂを使用し座布団座りした８ｃの人の姿勢を示した平面図である。
【図１３】既製品のダイニングテーブル電気こたつセットで、回転椅子３は隙間風が仕切り板下と床との隙間１ｋと妻板と掛布団４aの間から入ってしまう様子の斜視図である。
【図１４】図１３のセットで、椅子２脚を並べて仰向けになって寝た場合に掛布団が短く体が覆われない事と、椅子の奥行きが肩幅より足りない様子の斜視図である。
【図１５】図１４のテーブルの奥行き縮め、椅子も長椅子１に変え、仰向けに寝た人が、掛け布団が体を覆う様子と、座卓高さよりテーブルのほうが照明が明るい斜視図である。
【図１６】ダイニングテーブルこたつのヒータ部９aと掛布団４、天板5ｂを分けて示した分解図である。
【符号の説明】
【００１１】
１   長椅子
１a  台輪面にあり座板下の木口の手すり
1ｂ  背もたれ
1ｃ  横手すり
１d   横手すり
1ｅ  座板
1ｆ  座板下の保温効果のある仕切り板
1ｇ  地板裏に付いた円筒形滑り板で、沓は四隅４箇所
1ｈ  円筒形滑り板の高さと同じすき間保温材
１ｉ 台輪部に開けられた手すりとするための切り欠きした開口部
１ｊ  台輪
１ｋ  既製品の椅子座板下仕切り板下と床の隙間
１ｌ  長椅子の座板下の左右妻板
１ｍ  笠木手すり
１ｎ  背もたれの左右縦框と笠木とのコーナー近辺
２  テーブル
２ａ 幕板の一部を切り欠きした開口部手すり
２ｂ 隅より中に入った脚
２ｃ 脚を受ける滑り板
２ｄ 幕板に付いた棒状手すり
２ｅ テーブル天板下の幕板
3    回転椅子の既製品
４   掛布団
４ａ 掛布団と椅子とのすき間から温もりが逃げないためのスリット
５ａ 既製品のこたつ天板
５ｂ 短い奥行きの天板
６   照明
８ａ 長椅子を使用している人
８ｃ 座布団座り姿勢の人
８ｄ 妻側から体と足を90度回転してテーブルに足を入れる図
９a  テーブル裏に付けられるヒーター
９b  長椅子の台輪面にある膝裏から足を暖めるヒーター
【図１】
0005282403.tif 000002
【図２】
0005282403.tif 000003
【図３】
0005282403.tif 000004
【図４】
0005282403.tif 000005
【図５】
0005282403.tif 000006
【図６】
0005282403.tif 000007
【図７】
0005282403.tif 000008
【図８】
0005282403.tif 000009
【図９】
0005282403.tif 000010
【図１０】
0005282403.tif 000011
【図１１】
0005282403.tif 000012
【図１２】
0005282403.tif 000013
【図１３】
0005282403.tif 000014
【図１４】
0005282403.tif 000015
【図１５】
0005282403.tif 000016
【図１６】
0005282403.tif 000017